(57)【特許請求の範囲】
【請求項１】
予め付与された固有の識別コードを有する照明光を受付けした内線電話端末が前記識別コードを検出して電話交換装置へ送信し、当該識別コードを受付けした電話交換装置が、識別コードに基づく内線番号に対応する端末データを自動設定する端末データ設定システムにおいて、照明光が有する一つの前記識別コードに対して一つの内線グループ番号を対応させ、前記電話交換装置が、内線グループ番号それぞれに一つまたはそれ以上の内線番号を予め対応させて作成したデータベースを有し、識別コードを受付けした際にその識別コードに対応する一つの内線グループ番号から一つの内線番号を選択する手段を有することを特徴とする端末データ設定システム。
【請求項２】
請求項１に記載の端末データ設定システムにおいて、前記内線電話端末が、照明光から識別コードを受付けした際に識別コードの受付けを外部に表示し、この端末に対する特定情報、次いで送信指示、を外部から入力受付けした際、当該識別コードおよび前記特定情報を所定のフォーマットに形成して前記電話交換装置へ送信する手段を有することを特徴とする端末データ設定システム。
【請求項３】
請求項１に記載の端末データ設定システムにおいて、前記内線電話端末が、この端末に対する特定情報を予め有し、照明光から識別コードを受付けして送信する際に、当該識別コードおよび前記特定情報を所定のフォーマットに形成して前記電話交換装置へ送信する手段を有することを特徴とする端末データ設定システム。
【請求項４】
請求項２または請求項３に記載の端末データ設定システムにおいて、前記特定情報に特定内線番号を含み、前記電話交換装置が、前記特定内線番号を受付けの際に内線に割当て済みの内線番号と照合し、未使用のため不一致の場合に受付けの特定内線番号を内線に設定する一方、一致の場合には内線番号の使用済みを示す情報を前記内線電話端末に送信する手段を有することを特徴とする端末データ設定システム。
【請求項５】
予め付与された固有の識別コードを有する照明光を受付けした内線電話端末が前記識別コードを検出して電話交換装置へ送信し、当該識別コードを受付けした電話交換装置が、識別コードに基づく内線番号に対応する端末データを自動設定する端末データ設定システムにおいて、照明光が有する一つの前記識別コードが一つまたはそれ以上の内線番号に対応する一つの内線グループ番号を含み、前記電話交換装置が、
内線に接続する一つの電話端末に対応する内線番号とその内線番号に対応する電話端末を動作させるために必要な動作条件データとを内線ポートに対応させて記録するポート情報記録領域と、
一つの内線グループ番号、その内線グループ番号に含まれる内線番号、およびその内線グループ番号に対応する前記動作条件データを前記識別コードに対応させて予め記録する主装置データベースと、
前記電話端末から識別コードを受付けした際に当該識別コードに含まれる内線グループ番号に基づき前記主装置データベースを検索して記録された内線番号から前記ポート情報記録領域で未使用の一つの内線番号を選択し、前記ポート情報記録領域で、識別コードを受付けした際の内線ポートに、選択された内線番号とその関連データとを記録するポート情報記録制御部と、
を備えることを特徴とする端末データ設定システム。
【請求項６】
請求項５に記載の端末データ設定システムにおいて、前記電話端末が、照明光から識別コードを受付けした際に識別コードの受付けを外部に表示し、この端末に対する特定情報、次いで送信指示、を受付けした際に、当該識別コードおよび前記特定情報を所定のフォーマットに形成して前記電話交換装置へ送信する手段を有することを特徴とする端末データ設定システム。
【請求項７】
請求項５に記載の端末データ設定システムにおいて、前記電話端末が、この端末に対する特定情報を予め有し、照明光から識別コードを受付けし送信する際、当該識別コードおよび前記特定情報を所定のフォーマットに形成して前記電話交換装置へ送信する手段を有することを特徴とする端末データ設定システム。
【請求項８】
請求項６または請求項７に記載の端末データ設定システムにおいて、前記特定情報に特定内線番号を含み、前記電話交換装置が、特定内線番号を前記特定情報で受付けの際に内線に割当て済みの内線番号と照合し、未使用のため不一致の場合に受付けの特定内線番号を内線に設定する一方、一致の場合には内線番号の使用済みを示す情報を前記電話端末に送信する手段を有することを特徴とする端末データ設定システム。
【発明の詳細な説明】
【技術分野】
【０００１】
本発明は、構内電話交換機、ボタン電話主装置などの電話交換装置に接続される電話端末を設置する際のデータ設定が容易な電話交換装置の端末データ設定システムに関するものである。
【背景技術】
【０００２】
従来の電話交換装置の端末データ設定システムとして、電話交換装置、特にボタン電話装置では、内線を接続するポートごとにその内線に対応する回線指定を含む機能ボタン、内線グループ、着信音、内線番号などの設定が必要であり、データベースとして蓄積される。
【０００３】
例えば、ボタン電話装置では、ボタン電話機ポートごとに、上記回線指定を含む機能ボタン、内線グループ、着信音、内線番号などのデータをデータベースに設定するが、通常、各ボタン電話機への配線とその配線のポートへの接続は、内線ポートの接続先ボタン電話機との通信により確認している。すなわち、複雑な配線に対応する管理が必要とされる。
【０００４】
近年、例えば、特開２００３−３１８８３６号公報（特許文献１）または特開２００５−２７７８２８号公報（特許文献２）に開示されるように、ＬＥＤ（Light Emitting Diode：発光ダイオード）などによる照明器具から得られる照明光を用いてデータを伝送する技術が開示されている。
【０００５】
更に、公開技報における公技番号２００６−５０４１０８（特許文献３）には、構内交換機の内線となる電話機の設定データを照明光通信により自動的に設定可能とする技術が掲示されている。すなわち、特許文献３では、設定データとして位置情報を例示し、構内交換機がその位置情報に対応する電話番号とその電話番号に対応する電話機を動作させるために必要な設定データとをデータベースに予め保持している。
【０００６】
従って、例えば、社長室に電話機を設置する場合、照明器具が社長室位置データを有しそのデータを照明光により電話機が取得した場合には、この電話機が社長室位置データを構内交換機に送ることができる。構内交換機は、受付けした位置データに基づいてデータベースから所定の電話番号を検索する。この検索された電話番号は社長室用であり、構内交換機は、設置された電話機を、社長室電話番号とこれに対応する電話機を動作させるために必要な設定データとに対応させることができる。構内交換機によるこのような処理により、その後は社長室に設置された電話機が社長室用として機能できる。
【０００７】
このように、特許文献３では、室内外で照明光の届く範囲であれば電話機の位置情報に基づいて、位置情報に対応する内線番号を検索し、その内線番号で登録しなおすことにより、登録後のデータに容易に設定変更が可能である。すなわち、照明器具を用いることにより電話機の交換または新規設置に伴うデータの自動設定が容易に可能である。
【０００８】
しかし、特許文献３では、一つの照明光に対応して複数の電話機が設置される場合、または、内線番号が検索できなかった場合についての説明も示唆もない。
【０００９】
【特許文献１】特開２００３−３１８８３６号公報
【特許文献２】特開２００５−２７７８２８号公報
【特許文献３】公技２００６−５０４１０８号
【発明の開示】
【発明が解決しようとする課題】
【００１０】
解決しようとする課題は、一つの部屋または一つの照明器具で照明光の届く範囲内に複数の内線電話機が配置される場合、および、照明器具からの位置情報に対応する内線番号が予め設定されるデータに含まれない場合、それぞれにおけるデータの自動設定ができないことである。
【課題を解決するための手段】
【００１１】
その目的を達成するため、本発明では、予め付与された固有の識別コードを有する照明光を受付けした内線電話端末が前記識別コードを検出して電話交換装置へ送信し、当該識別コードを受付けした電話交換装置が、識別コードに基づく内線番号に対応する端末データを自動設定する端末データ設定システムにおいて、照明光が有する一つの前記識別コードに対して一つの内線グループ番号を対応させ、前記電話交換装置が、内線グループ番号それぞれに一つまたはそれ以上の内線番号が対応するデータベースを予め作成して、識別コードを受付けした際にその識別コードに対応する一つの内線グループ番号から一つの内線番号を選択する手段を有することを特徴とする。
【００１２】
具体的には、上記識別コードが一つまたはそれ以上の内線番号に対応する一つの内線グループ番号を含み、電話交換装置が、内線に接続する一つの電話端末に対応する内線番号とその内線番号に対応する電話端末を動作させるために必要な動作条件データとを内線ポートに対応させて記録するポート情報記録領域と、一つの内線グループ番号、その内線グループ番号に含まれる内線番号、およびその内線グループ番号に対応する前記動作条件データを前記識別コードに対応させて予め記録する主装置データベースと、前記電話端末から識別コードを受付けした際に当該識別コードに含まれる内線グループ番号に基づき前記主装置データベースを検索して記録された内線番号から前記ポート情報記録領域に記録のない一つの内線番号を選択し、前記ポート情報記録領域で、識別コードを受付けした際の内線ポートに、選択された内線番号とその関連データとを記録するポート情報記録制御部と、を備える。
【発明の効果】
【００１３】
本発明による電話交換装置のデータ設定システムは、電話交換装置が、電話端末から内線グループ番号を含む識別コードを受付けした際に当該内線グループ番号に基づき主装置データベースを検索して記録された内線番号からポート情報記録領域に記録のない、すなわち未使用の一つの内線番号を選択し、当該ポート情報記録領域で、識別コードを受付けした際の内線ポートに、選択されたその内線番号とその関連データとを記録する。そのため、照明光を用いたデータ通信のメリットの加えて、複数の内線番号に対してそのうちの一つを選択できるので、同一フロア内に複数の内線番号が異なりかつ同一動作条件を有する内線電話端末を設置可能である。
【００１４】
また、電話端末が、この端末に対する特定情報を予め有する場合には照明光から識別コードを受付し送信する際、または照明光から識別コードを受付した際に、識別コードの受付けを外部に表示する場合には、この端末に対する特定情報に次いで送信指示を外部からユーザにより入力受付けした際に、当該識別コードおよび前記特定情報を所定のフォーマットに形成して前記電話交換装置へ送信することができる。
【００１５】
更に、前記特定情報に特定内線番号を含み、前記電話交換装置が、特定内線番号を前記特定情報で受付けの際に内線に割当て済みの内線番号と照合し、不一致の場合に受付けの特定内線番号を内線に設定する一方、一致の場合には内線番号の使用済みを示す情報を前記電話端末に返答することができる。
【００１６】
このような構成により、電話端末から内線番号を指定することができると共に、内線番号の重複設定を避けることが可能である。
【発明を実施するための最良の形態】
【００１７】
一つの照明器具で照明光の届く範囲内に複数の内線電話機が配置される場合、および、照明器具からの位置情報に対応する内線番号が予め設定されるデータに含まれない場合、それぞれにおけるデータの自動設定を、一つの識別コードに対して一つの内線グループ番号を対応させ、電話交換装置が、内線グループ番号それぞれに一つまたはそれ以上の内線番号が対応するデータベースを予め作成して識別コードを受付けした際にその識別コードに対応する一つの内線グループ番号から一つの内線番号を選択することにより実現した。
【００１８】
以下に図面を参照して実施例を説明する。実施例では本発明に係る部分をブロックで図示して説明するが、機能ブロックの併合または分離などの変更は、本発明の趣旨および発揮する機能を満たす限り自由であり、以下の説明が本発明を限定するものではない。本発明に係る装置、機器で必須の機能でも、紙面の都合上、図示を省略するものがある。
【実施例１】
【００１９】
本発明の実施例１について、ボタン電話装置を例示して、図１から図４Ａおよび図４Ｂまでを参照し説明する。
【００２０】
図１は、本発明によるボタン電話装置におけるデータ設定システムの一実施例をブロックで示す説明図である。
【００２１】
図１では、照明光発信装置１０-1，１０-2、ボタン電話機２０-1〜２０-4およびボタン電話主装置（以後、主装置と略称する）３０が示されている。
【００２２】
図示されるように、照明光発信装置１０-1，１０-2は人事部室０１および経理部室０２それぞれの室内に配備される照明器具を含むものでそれぞれに識別コード（ＩＤコード）が付与されている。ボタン電話機２０-1，２０-2およびボタン電話機２０-3，２０-4のそれぞれは人事部室０１および経理部室０２それぞれをグループとして配置される。これらボタン電話機２０-1〜２０-4は主装置３０に収容接続されている。
【００２３】
図２は、照明光発信装置１０とボタン電話機２０との一構成をブロックで示す説明図である。
【００２４】
図示されるように、照明光発信装置１０は、ＩＤコード記憶部１１、ＩＤコード送信部１２、および照明光発光機器１３を含む。ＩＤコード記憶部１１は、図１で示されるように、人事部室０１ではＩＤコード「０００１」が、また経理部室０２ではＩＤコード「０００２」が、それぞれ予め設定されている。ＩＤコード記憶部１１に記憶されるデータは単純なものが望ましいが、ＩＤコード以外のデータを設定することもできる。ＩＤコード送信部１２は、ＩＤコード記憶部１１に設定されたデータを変調して照明光発光機器１３へ送る。照明光発光機器１３へ変調データは、照明光発信装置１０の構成簡易化のため、常時送信するとして説明する。照明光発光機器１３は、例えばＬＥＤ（発光ダイオード）が発光する可視光線を、ＩＤコード送信部１２から受ける変調データに基づいて変調して発射し、室内の照明用に提供する。
【００２５】
ボタン電話機２０は、多機能に対応する入出力および制御の手段を備えるものであり、本実施例では、ＩＤコード取得ボタン２１、ＩＤコード受光部２２、表示画面部２３、電話機データ保存部２４、データ取得制御部２５、および内線ＩＦ（インタフェース）部２６を有する。ＩＤコード取得ボタン２１は、例えばノンロックボタンであり、ボタンの操作中、データ取得制御部２５を介してＩＤコード受光部２２を駆動して照明光発信装置１０から発射する照明光を受付けさせる。ＩＤコード受光部２２は、ＩＤコード取得ボタン２１からの駆動を受け、照明光発信装置１０から発射する照明光を受付けしてＩＤコードに復調し、データ取得制御部２５を介して表示画面部２３に画面表示させると共に電話機データ保存部２４に記録保存する。表示画面部２３は各種制御部の制御を受けて所定のデータを画面表示する。電話機データ保存部２４は、データ取得制御部２５の制御を受け、ボタン電話機２０で必要なデータを保存する一方、不要なデータを消去する。データ取得制御部２５は、ボタン電話機２０が必要なデータの取得を制御する。本発明では、ボタン電話機２０の新設、または取替えの際に必要な電話機データの取得とその設定を電話機側で制御する。内線ＩＦ部２６は主装置３０と内線接続する電話回線を収容する。この電話回線はこのボタン電話装置に固有のものであり、通話回線のほか特有のデータ信号を送受信できる。
【００２６】
図３は、主装置３０の一構成をブロックで示す説明図である。主装置３０は通常のボタン電話交換機能を有し、外線インタフェース３１、スイッチ３２、内線インタフェース３３、主装置ＤＢ（データベース）３４、ポート情報記録領域３５、およびポート情報記録制御部３６が備えられる。
【００２７】
外線インタフェース３１は局用電話回線を収容し、ボタン電話装置としてその外線ポートは図示されていないボタン電話機２０の外線機能ボタンに対応させている。スイッチ３２は、図示されていない主装置制御部により、外線と内線、内線相互それぞれを接続する。内線インタフェース３３は、その内線ポートにボタン電話機２０との間を接続する電話回線を収容する。主装置ＤＢ３４は、図４Ａで例示されるが、ユーザにより予め登録される電話機データを端末データとして記録保持する。ポート情報記録領域３５は、図４Ｂで例示されるが、内線ポート対応にそのポートに接続されるボタン電話機２０に必要なデータを保持する記憶領域である。ポート情報記録制御部３６は、ボタン電話機２０の新設、移転または取替えのようにポート情報記録領域３５で内線ポート対応のデータ設定が必要な場合、主装置ＤＢ３４を検索してポート情報記録領域３５での記録を制御する。詳細は、図面を参照してフローチャートにより後に説明する。
【００２８】
図４Ａは、主装置ＤＢ３４の記憶データをテーブルで示した説明図である。すなわち、ボタン電話機２０に対応して必要なデータ、例えば、電話機ポートすなわち内線ポート毎に機能ボタンの設定、着信音の設定、電話機グループの設定などが記録される。
【００２９】
主装置ＤＢ３４には、図示されるように、ＩＤコードに対応して部署コード、部署名、電話Ｇ（グループ）番号、この電話Ｇに含まれる複数の内線番号、鳴動音パターン、鳴動音音程などが含まれる。すなわち、図１を参照して説明したように、本実施例では、部室ごと、部署ごとに設置される複数のボタン電話機２０で内線グループを形成してＩＤコードが付与される。人事部には、ＩＤコード「０００１」が、電話機グループ「０１」として内線番号「５０１、５０２、〜」が、鳴動音パターン「０１」および鳴動音音程「高」がそれぞれ割り当てられている。経理部には、ＩＤコード「０００２」が、電話機グループ「０２」として内線番号「６０１、６０２、〜」が、鳴動音パターン「０２」および鳴動音音程「高」がそれぞれ割り当てられている。
【００３０】
また、一つのＩＤコードに複数の内線番号が対応するので、内線ポートでのデータ設定は、ポート情報記録領域３５で未使用の一つの内線番号が選択される。したがって、ポート情報記録領域３５に割り当てられた内線番号「５０１、５０２、６０１」には、例えば割当て済みまたは使用済みのマーク「＊」が付加されるものとする。主装置の基本機能として、内線対応のデータベースを有し、内線の使用中か未使用かの識別は可能なので、このマークは本発明の必須条件ではない。
【００３１】
図４Ｂは、ポート情報記録領域３５の記憶データをテーブルで示した説明図である。すなわち、内線ポート番号「０１、０２、０３」それぞれに、図４Ａに示される内線番号「５０１、５０２、６０１」対応のデータが記録されている。内線ポート番号「０４」からＩＤコード「０００２」を受付けした際に、主装置ＤＢ３４で空きの内線番号「６０２」が選択されてポート情報記録領域３５のポート番号「０４」に記録される。
【００３２】
このような構成を有するので、照明光発信装置からの照明光が届く範囲内では一つのＩＤコードに一つの内線番号グループを対応させ、一つの内線番号グループに複数の内線番号を対応させて、複数の中から空きの一つの内線番号を選択するにより、複数の内線番号に対しても内線電話機データを自動設定することができる。
【００３３】
しかしながら、主装置ＤＢ３４のＩＤコード領域にＩＤコードの記録がない場合、または、主装置ＤＢ３４の対応ＩＤコード領域に空きの内線番号がない場合などにおける処理は不明である。この処理については別の実施例で続いて説明する。
【００３４】
上記説明では複数の部署対応にＩＤコードを設定するとしたが、小規模のボタン電話装置または複数の照明光発信装置に対して、一つのＩＤコードが付与されてよいことは勿論である。また、一つの内線グループ番号に複数の内線番号を含むとしたが、一つの内線番号のみである場合も含まれることは勿論である。また、上記説明では画面表示としているが、ユーザへの通知は、ランプ点灯、ブザー鳴動、音声発生などの手段を併せ用いることもできる。
【実施例２】
【００３５】
本発明の実施例２について図２および図３、並びに図５Ａおよび図５Ｂを参照して説明する。
【００３６】
図５Ａは、主装置ＤＢ３４Ａの記憶データをテーブルで示した説明図である。図示されるＩＤコード「０００２」および内線番号「６０２」は、記録がないものとする。
【００３７】
従って、主装置３０は、ボタン電話機２０からポート番号「０３」を用いてＩＤコード「０００２」が送られた場合、主装置ＤＢ３４Ａを検索した際に記録領域からＩＤコードを検索できない。それ故、主装置３０は、ＩＤコードの検索不能をボタン電話機２０へ通知する。ボタン電話機２０は検索不能を画面表示するので、ＩＤコード取得ボタン２１を操作したユーザが例えば部署コード「０２」を入力する。ボタン電話機２０は入力された部署コードとＩＤコードを再送する。その結果、主装置３０は、主装置ＤＢ３４Ａで部署コード「０２」に対応してＩＤコード「０００２」を記録することができるので、未使用（空き）の内線番号「６０１」が選択できる。したがって、ポート情報記録領域３５ではポート番号「０３」に、内線番号「６０１」とＩＤコード「０００２」とを記録することができる。
【００３８】
また、主装置ＤＢ３４Ａで内線番号「６０１」が使用されたのち、ポート番号「０４」にＩＤコード「０００２」の設定が要求され、空きの内線番号がない場合、主装置３０は、例えば、内線番号登録なしのメッセージをボタン電話機２０へ通知する。ボタン電話機２０は「内線番号登録なし」を画面表示するので、ＩＤコード取得ボタン２１を操作したユーザが例えば内線番号「６０２」を入力する。ボタン電話機２０は入力された内線番号とＩＤコードを再送する。その結果、主装置３０は、主装置ＤＢ３４ＡでＩＤコード「０００２」に対応して内線番号「６０２」を記録することができる。したがって、ポート情報記録領域３５ではポート番号「０４」に、内線番号「６０２」とＩＤコード「０００２」とを記録することができる。
【実施例３】
【００３９】
本発明の実施例３により、図６および図７Ａ，Ｂのフローチャートに図２および図３、並びに図４Ａ、図４Ｂ、図５Ａ、および図５Ｂを併せ参照して、図２のボタン電話機２０および図３のボタン電話主装置３０の動作について説明する。
【００４０】
図６は、上記実施例の一主要動作手順をフローチャートで示す説明図である。まず、図６を参照して通常動作手順について説明する。
【００４１】
ボタン電話機２０が、ＩＤコード取得ボタン２１からユーザの操作情報を「ＩＤコード取得要求」として受付けした際には、データ取得制御部２５を駆動してＩＤコード受光部２２に照明光発信装置１０からの照明光を受付けさせて復調させ、ＩＤコードを検出（手順Ｓ１）する。検出されたＩＤコードは、表示画面部２３に画面表示されると共に電話機データ保存部２４に保存され、内線を介して主装置３０に「電話機データ設定要求」として所定のフォーマットに形成され送出（手順Ｓ２）される。
【００４２】
主装置３０では、上記ボタン電話機２０が接続される内線ポートからＩＤコードを有する「電話機データ設定要求」を受付けした際、ポート情報記録制御部３６が受けたＩＤコードにより主装置ＤＢ３４を検索（手順Ｓ３）する。主装置ＤＢ３４に受付けのＩＤコードあり（手順Ｓ４のＹＥＳ）の場合、更に、そのＩＤコード対応の領域に登録されたもののうち未使用のため空きの内線番号があり（手順Ｓ５のＹＥＳ）の場合、ポート情報記録制御部３６は、空きの中から一つの内線番号を選択して使用済みマークを付与し、次いでポート情報記録領域３５でＩＤコードを受付けした内線のポート番号領域に主装置ＤＢ３４で選択の電話機データを上書きで記録して登録（手順Ｓ６）する。登録されたデータのうち所定のデータは登録終了の通知とともに、ボタン電話機２０に送信（手順Ｓ７）される。
【００４３】
ボタン電話機２０では、データ取得制御部２５が受付けしたデータを電話機データ保存部２４に記憶すると共に登録終了を表示画面部２３に送出して画面表示（手順Ｓ８）し、ユーザに通知する。
【００４４】
次に、図６に図７Ａを併せ参照して、図６の上記手順Ｓ４が「ＮＯ」であり、内線ポートで受付けしたＩＤコードが主装置ＤＢ３４に無登録の場合について説明する。
【００４５】
この場合、主装置３０は、ＩＤコード受付けの内線ポートから「ＩＤコード登録なし」の所定のフォーマットに形成されたメッセージを送出してボタン電話機２０に通知（手順Ｓ１０）する。ボタン電話機２０では、データ取得制御部２５が受付けしたメッセージを表示画面部２３に送出して画面表示（手順Ｓ１１）し、ユーザに通知する。
【００４６】
次いで、図７Ａに示されるように、ユーザが所定の部署コードを入力するので、データ取得制御部２５がこれを検出して部署コードとＩＤコードとを主装置３０に送出して登録要求（手順Ｓ２１）する。主装置３０では、ポート情報記録制御部３６が、内線ポートで受付けした部署コードから主装置ＤＢ３４を検索（手順Ｓ２２）し、対応領域にＩＤコードを記録（手順Ｓ２３）して主装置ＤＢ３４のデータ欠如を補完する。したがって、次の手順は図６の上記手順Ｓ５に続く。
【００４７】
次に、図６に図７Ｂを併せ参照して、図６の上記手順Ｓ５が「ＮＯ」であり、内線ポートで受付けしたＩＤコード対応の主装置ＤＢ３４に割当て可能な未使用の内線番号がない場合について説明する。
【００４８】
この場合、主装置３０は、ＩＤコード受付けの内線ポートから、例えば「割当て可能の内線番号なし」の所定のフォーマットに形成されたメッセージを送出してボタン電話機２０に通知（手順Ｓ１２）する。ボタン電話機２０では、データ取得制御部２５が受付けしたメッセージを表示画面部２３に送出して画面表示（上記手順Ｓ１１）し、ユーザに通知する。
【００４９】
次いで、図７Ｂに示されるように、ユーザが所定の内線番号を入力するので、データ取得制御部２５がこれを検出してその内線番号とＩＤコードとを主装置３０に送出して登録要求（手順Ｓ２４）する。主装置３０では、ポート情報記録制御部３６が、主装置ＤＢ３４で登録済みの内線番号全体を検索（手順Ｓ２５）する。内線ポートで受付けしたものと一致の内線番号なし（手順Ｓ２６のＹＥＳ）の場合、ポート情報記録制御部３６は、内線ポートで受付けしたＩＤコードから主装置ＤＢ３４を検索（手順Ｓ２７）し、ＩＤコード対応の内線番号領域に受付けした内線番号を新規に記録（手順Ｓ２８）して主装置ＤＢ３４のデータ欠如を補完する。次いで、ポート情報記録制御部３６は、新規登録の内線番号を選択して使用済みマークを付与し、次いでポート情報記録領域３５でＩＤコードを受付けした内線のポート番号領域に主装置ＤＢ３４で選択の電話機データを上書き（手順Ｓ２９）で記録して登録する。したがって、次の手順は図６の上記手順Ｓ７に続く。
【００５０】
このような構成により、主装置３０の主装置ＤＢ３４に登録されていないデータがあっても、ボタン電話機２０の表示画面にメッセージ表示されるので、ユーザによる入力が可能である。このユーザにより所定のフォーマットで入力されたデータから、主装置は入力データを識別できるので、主装置ＤＢのデータ保管が可能である。
【実施例４】
【００５１】
次に、図８を参照して、本発明の上記実施例とは異なる実施例４について説明する。
【００５２】
図８が図２と相違する点は、ボタン電話機２０ＡがＩＤコード変換部２７Ａを追加し、データ取得制御部２５がＩＤコード変換部２７Ａを制御することにある。ＩＤコード変換部２７Ａは、照明光発信装置１０から受けてＩＤコード受光部２２で復調されたものを別のＩＤコードに変換して主装置３０へ送出する。このため、主装置の構成は上述の説明内容と変更なしでよい。
【００５３】
したがって、主装置３０の主装置ＤＢ３４にこのＩＤコードに対応する電話機データを予め登録することにより、ボタン電話機それぞれに対応する電話機データを設定可能である。
【実施例５】
【００５４】
上述した実施例１〜４では、主装置にボタン電話機を収容するボタン電話装置を例示して説明したが、図１において、ボタン電話主装置が構内交換機であり、ボタン電話機が多機能電話機であってもよい。すなわち、複数の内線番号が機能ボタン対応ではなく、複数の内線番号が対応するＩＤコードは部署コードの対応でなくともよい。例えば、卓上照明器具によって、多機能電話機ごとのＩＤコードを設定することが可能である。したがって、ＩＤコードと主装置データベースのデータとを対応付けすることにより、多用な電話機データの設定が可能である。
【００５５】
更に、ボタン電話機の電話機データ保存部は、データ端末の端末データであり、その端末固有の端末データを予め有し、主装置のデータベースで上書きを可能とすることで、さらにボタン電話機それぞれで自由な端末データの設定が可能である。
【産業上の利用可能性】
【００５６】
照明光に含まれるＩＤコードに複数の内線番号を含む内線番号グループを用いて対応させることができる。したがって、異なるＩＤコードそれぞれで複数の電話機それぞれに対して一つの内線番号を選択可能であるので、内線電話をグループ化するボタン電話装置に最適である。また、主装置データベースに登録がない場合でも電話機からの入力で登録可能としている。また、照明光による一つのＩＤコードでも複数のコードに発展の可能性があり、照明光を用いて電話機データを交換装置に容易に自動設定することが、電話交換システムに対して広く適用可能である。
【００５７】
更に、電話機能を有するデータ端末に応用可能であり、電話機能はメール機能を含む広い範囲の通信機能に応用することができる。
【図面の簡単な説明】
【００５８】
【図１】本発明のボタン電話装置におけるデータ設定システムの一実施例をブロックで示す説明図である。（実施例１〜５）
【図２】図１における照明光発信装置とボタン電話機との一構成をブロックで示す説明図である。（実施例１、２）
【図３】図１におけるボタン電話主装置の一構成をブロックで示す説明図である。（実施例１、２）
【図４Ａ】図３における主装置ＤＢの一構成をテーブルで示す説明図である。（実施例１）
【図４Ｂ】図３におけるポート情報記録領域の一構成をテーブルで示す説明図である。（実施例１）
【図５Ａ】図３における主装置ＤＢの一構成をテーブルで示す説明図である。（実施例２）
【図５Ｂ】図３におけるポート情報記録領域の一構成をテーブルで示す説明図である。（実施例２）
【図６】本発明のボタン電話装置における主要動作手順の一実施例をフローチャートで示す説明図である。（実施例３）
【図７Ａ】図６の手順Ｓ１０以降に続く主要動作手順の一実施例をフローチャートで示す説明図である。（実施例３）
【図７Ｂ】図６の手順Ｓ１２以降に続く主要動作手順の一実施例をフローチャートで示す説明図である。（実施例３）
【図８】本発明のボタン電話装置におけるボタン電話機の一構成をブロックで示す説明図である。（実施例４）
【符号の説明】
【００５９】
１０、１０-1、１０-2    照明光発信装置
１１    ＩＤコード記憶部
１２    ＩＤコード送信部
１３    照明光発光機器
２０、２０Ａ、２０-1〜２０-4    ボタン電話機
２１    ＩＤコード取得ボタン
２２    ＩＤコード受光部
２３    表示画面部
２４    電話機データ保存部
２５、２５Ａ    データ取得制御部
２６    内線ＩＦ部
２７Ａ    ＩＤコード変換部
３０    ボタン電話主装置（主装置）
３１    外線インタフェース
３２    スイッチ
３３    内線インタフェース
３４、３４Ａ    主装置ＤＢ
３５、３５Ａ    ポート情報記録領域
３６    ポート情報記録制御部
【図１】
0005169345.tif 000002
【図２】
0005169345.tif 000003
【図３】
0005169345.tif 000004
【図４Ａ】
0005169345.tif 000005
【図４Ｂ】
0005169345.tif 000006
【図５Ａ】
0005169345.tif 000007
【図５Ｂ】
0005169345.tif 000008
【図６】
0005169345.tif 000009
【図７Ａ】
0005169345.tif 000010
【図７Ｂ】
0005169345.tif 000011
【図８】
0005169345.tif 000012